(57)【要約】【課題】  特に高所や離れた場所の被清掃面であっても、これらに存する塵埃等を確実に除去吸引でき、簡易迅速にしかも安全に清掃作業を遂行できるようにする。【解決手段】  所定の真空掃除機Ｂの連結用吸引口Ｈに連結する伸縮自在な吸引ホース体１と、この吸引ホース体１の前部に着脱自在に連結するブラシ体１０とを備えて成る。ブラシ体１０は、中空なブラシ基部１１の表面に多数のブラシ毛１２を植設すると共にブラシ基部１１面に複数の小吸引孔１３を開穿し、後部に吸引ホース体１前部の吸引連結口６に連通させて着脱自在に連結させる連結パイプ１４を設けて成る。またブラシ毛１２はブラシ基部１１の前端面、外周面のほぼ全域に植設してあり、小吸引孔１３は、ブラシ基部１１の前端面、外周面及び後端面に開穿してある。【選択図】      図１
0003105095.tif 000002
【実用新案登録請求の範囲】
【請求項１】
所定の真空掃除機の連結用吸引口に連結される伸縮自在な吸引ホース体と、この吸引ホース体の前部に着脱自在に連結されるブラシ体とを備えて成り、ブラシ体は、中空なブラシ基部の表面に多数のブラシ毛を植設すると共にブラシ基部面に複数の小吸引孔を開穿し、後部に吸引ホース体前部の吸引連結口に連通させて着脱自在に連結させる連結パイプを設けて成ることを特徴とする真空掃除機用煤払い具。
【請求項２】
ブラシ毛はブラシ基部の前端面、外周面のほぼ全域に植設してある請求項１に記載の真空掃除機用煤払い具。
【請求項３】
小吸引孔は、ブラシ基部の前端面、外周面及び後端面に開穿してある請求項１または２に記載の真空掃除機用煤払い具。
【考案の詳細な説明】
【技術分野】
【０００１】
この考案は例えば梁、天井等の高所、離れた場所等における塵埃等を真空掃除機によって清掃するとき、これらの場所にまで離れた作業場所から伸張配置して位置決めし、手軽に塵埃等を吸引して除去できるようにしたブラシ付の真空掃除機用煤払い具に関する。
【背景技術】
【０００２】
従来から梁、天井その他の高所における塵埃等を除去清掃するには、ハタキによって塵埃を叩き落としたり、真空掃除機であればそのブラシ付のノズル等をあてがい吸引除去したりしている。特に、真空掃除機を使用して清掃する場合には、真空掃除機を被清掃面の近くまで作業員が持って行き、ノズル等を直接に被清掃面にあてがうことで清掃作業を行なっている。すなわち図４（Ａ）に示すように、被清掃面である高所に届く高さの足場Ｐ１を組立設置したり、高所作業用の移動台車等を用意したりし、それらの足場Ｐ１、移動台車上に真空掃除機Ｂを持ち上げ載置し、また電源には延長テーブル等にて接続することで準備し、作業を行なっている。また図４（Ｂ）に示すように、脚立Ｐ２を別途用意し、この脚立Ｐ２上に乗った作業員が真空掃除機Ｂの吸引ノズル口を被清掃面にあてがう一方、真空掃除機Ｂは別の作業員が補助的に持ち上げ、支持して行なっているのである。
【特許文献１】特になし
【考案の開示】
【考案が解決しようとする課題】
【０００３】
ところが、ハタキ等によって塵埃等を叩き落としても、これらを直ちに集め、除去しなければ塵埃を周囲に飛散させるにすぎないときもあり、またブラシ付のノズルによって真空掃除機にて吸引除去するとしても、そのホースが十分に長くなければ、離れた場所に存在する塵埃の除去は困難である。更にはこのブラシ付のノズルではブラシ部分が一部面にしか形成されていないために、高所や遠く離れた場所での被清掃面にブラシ部分がきっちりとあてがわれずに塵埃を擦り取ることができないときもあった。
【０００４】
そればかりでなく、高所の清掃に際し例えば足場Ｐ１、脚立Ｐ２、梯子等を使用するとすれば、作業員が高所に移動しなければならず、作業的に危険であり、作業者の安全を図る別途の手段を講じる必要がある。しかも、被清掃面の清掃終了に伴ない新たな被清掃面に対して移動するにも、足場Ｐ１、脚立Ｐ２等の再組立、移動更には再度の作業場所への登り、移動等が必要で、極めて面倒であった。
【０００５】
そこでこの考案は叙上のような従来存した諸事情に鑑み案出されたもので、特に高所や離れた場所の被清掃面であっても、これらに存する塵埃等を確実に除去吸引でき、その除去作業に際し被清掃面位置に対する伸張調整の自在性、被清掃面への当接の自在性等によって離れた場所からでも簡易迅速に清掃作業を遂行できるようにした真空掃除機用煤払い具を提供することを目的とする。
【課題を解決するための手段】
【０００６】
上述した課題を解決するため、この考案にあっては、所定の真空掃除機Ｂの連結用吸引口Ｈに連結される伸縮自在な吸引ホース体１と、この吸引ホース体１の前部に着脱自在に連結されるブラシ体１０とを備えて成り、ブラシ体１０は、中空なブラシ基部１１の表面に多数のブラシ毛１２を植設すると共にブラシ基部１１面に複数の小吸引孔１３を開穿し、後部に吸引ホース体１前部の吸引連結口６に連通させて着脱自在に連結させる連結パイプ１４を設けて成るものである。
ブラシ毛１２はブラシ基部１１の前端面、外周面のほぼ全域に植設してあり、また小吸引孔１３は、ブラシ基部１１の前端面、外周面及び後端面に開穿することで構成することができる。
【０００７】
以上のように構成されたこの考案に係る真空掃除機用煤払い具にあって、真空掃除機Ｂに連結された吸引ホース体１はその伸縮によって必要される被清掃面に遠く離れた作業場所からでもブラシ体１０を位置させ、ブラシ体１０の小吸引孔１３から被清掃面に存する塵埃等を吸引させる。
またブラシ体１０のブラシ毛１２は被清掃面に付着している塵埃を擦り取るように剥離し、剥離した塵埃を小吸引孔１３によってブラシ基部１１内に、更には吸引ホース体１内を通過させて真空掃除機Ｂ内に吸引させる。更にブラシ基部１１の前端面、外周面のほぼ全域に植設されたブラシ毛１２は吸引ホース体１を作業者が握持し、作業するときに先端部分が被清掃面に突き当て状になっても、外周面が当接状になってもいずれにも対応させる。
ブラシ基部１１の後端面に開穿した小吸引孔１３は被清掃面から掻き落とした塵埃等をブラシ体１０の後部にても吸引し、被清掃面上の塵埃を捕捉吸引させる。
【考案の効果】
【０００８】
以上のように説明したこの考案に係る真空掃除機用煤払い具によれば、高所や離れた場所の塵埃を離れた作業位置からでも簡単に吸引除去でき、特に業務用として利用するに好適で専門の清掃業者にあっては清掃作業を能率的に遂行でき、その除去作業に際し被清掃面位置に対する伸張調整の自在性、被清掃面への当接の自在性等によって安全に、しかも簡易迅速に清掃作業を遂行できるものである。
【０００９】
すなわちこれはこの考案において、所定の真空掃除機Ｂの連結用吸引口Ｈに連結する吸引ホース体１にブラシ体１０を着脱自在に連結して成り、ブラシ体１０は、ブラシ基部１１に多数のブラシ毛１２を植設すると共に複数の小吸引孔１３を開穿し、吸引ホース体１に連通させて連結させる連結パイプ１４を設けて成るものとしたからであり、これによって、離れた場所からの高所、天井面その他の被清掃面上の塵埃等の吸引除去、吸引ホース体１の伸縮調整による被清掃面に対する位置決め、ブラシ毛１２による被清掃面上の塵埃の剥離除去、離れた場所からの安全な作業の遂行等を可能にするのである。
【００１０】
また、ブラシ体１０においてのブラシ毛１２はブラシ基部１１の前端面、外周面のほぼ全域に植設してあるから、作業者が吸引ホース体１を握持し、操作したときの被清掃面に対してブラシ体１０の先端部分を突き当て状にしても、外周面で当接状にしてもいずれであっても被清掃面に付着の塵埃を除去剥離させ、しかも、ブラシ基部１１の前端面、外周面に設けた小吸引孔１３によって吸引できるから、周囲にも飛散させずに除去吸引できるのである。
【００１１】
更には、小吸引孔１３はブラシ基部１１の後端面にも設けてあるから、ブラシ毛１２によって擦るようにして掻き落とすことで、ブラシ基部１１の後方に回り込んだ塵埃であってもこれを吸引でき、周囲に飛散させずに確実に除去できるのである。
【００１２】
しかも、被清掃面が例えば高所であっても、作業員は従来のように足場Ｐ１や脚立Ｐ２上に乗る必要はなく、真空掃除機Ｂを床面上に置いたままで清掃作業を遂行できるから、極めて安全に作業を行なうことができるばかりでなく、被清掃面の変更に対応した移動も容易であり、作業を迅速に行なえるのである。
【００１３】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１４】
以下図面を参照してこの考案を実施するための最良の一形態を説明すると、図において示される符号１は所定の真空掃除機Ｂにおける連結用吸引口Ｈに連結される伸縮自在な吸引ホース体であり、この吸引ホース体１の後部は、所定の真空掃除機Ｂにおける例えば可撓性のあるいは剛性の吸引ホースの連結用吸引口Ｈに着脱自在に連結される連結口２となっている。図示にあっての連結口２は連結用吸引口Ｈの内部に強制的は嵌め入れることで連結されるように、先端部分が連結用吸引口Ｈ内径に比し小径となる先細テーパー状に形成してある。
【００１５】
吸引ホース体１自体は、後端が連結口２となっている大径長尺な第１ホース体３と、この第１ホース体３に比し小径で、前端が後述する吸引連結口６となっている長尺な第２ホース体４とを、第１ホース体３内でスライド自在にして第２ホース体４を第１ホース体３内に嵌め入れると共に、第１ホース体３の嵌め入れ口側に、捩じ込みによって第１ホース体３内に第２ホース体４をほぼ密閉状に固定し、その解除によって第１ホース体３に対して第２ホース体４をスライド可能にさせるカップリング手段５を設けてある。なお、カップリング手段５はその捩じ込みによって第１ホース体３と第２ホース体４との内外の空隙がほぼ密閉状に閉塞され、真空掃除機Ｂの吸引作動時の吸引ホース体１内における真空吸引状態がほぼ維持されるようにしてある。この吸引ホース体１自体は、縮小時ではほぼ２５００ｍｍ程度とし、伸張時ではほぼ４０００ｍｍ程度の長さとなるようにしてあるも、これらの長さに特に限定されるものでなく、また軽量で、撓みが生じないようにその素材を例えばアルミニウム材としてあるも、これに限定されるものではない。
【００１６】
尚、場合によっては、吸引ホース体１における先端である第２ホース体４の吸引連結口６は折曲されることもあり、この折曲形状の構成によって高所における段差面等にブラシ体１０をしっくりと当接させるようにすることもできる。
【００１７】
また、吸引ホース体１の前部は吸引連結口６となっていて、この吸引連結口６にはブラシ体１０が着脱自在に連結される。このブラシ体１０は、中空なブラシ基部１１の表面に多数のブラシ毛１２を植設すると共にブラシ基部１１面に複数の小吸引孔１３を開穿し、後部に吸引ホース体１の吸引連結口６に連通させて着脱自在に連結させる連結パイプ１４を設けたものである。
【００１８】
ブラシ基部１１は例えば中空パイプ状に形成されていて、長さが例えば２０〜５０ｍｍ程度とした硬質合成樹脂材から成るフィラメント製のブラシ毛１２を多数にして前端面、外周面のほぼ全域に植設することでこんもりした球状類似形状を呈するようにしてあり、被清掃面に対して前端面あるいは外周面のいずれの部位が当接することでも被清掃面をブラシ毛１２によって擦過でき、付着している塵埃等を擦り取れるようにしてある。
【００１９】
小吸引孔１３はブラシ基部１１の頂部である前端面に開穿し、またブラシ基部１１の外周面には例えば周面に対して９０度間隔の４列で、１列が例えば２〜３個程度で開穿してある。更にはブラシ基部１１の後部である連結パイプ１４が設けられているブラシ基部１１自体の後端面にも適数個の小吸引孔１３を開穿してあって、ブラシ体１０の後部においても塵埃等を吸引可能にしてある。
【００２０】
連結パイプ１４は吸引ホース体１の吸引連結口６に着脱自在に連結されるもので、図示にあっては、先細テーパー状に形成してある吸引連結口６が嵌め入れられるように吸引連結口６の先端外径に比しやや大径な内径を備えた筒状に形成されており、吸引連結口６に連結されたときにはほぼ密閉状となり、真空掃除機Ｂの吸引作用は小吸引孔１３によって得られるようにしてある。
【００２１】
次にこれの使用の一例を説明すると図３に示すように、業務用、家庭用に限らず、真空掃除機Ｂにおける吸引ホースの先端に吸引ホース体１を連結し、また、この吸引ホース体１の前端にブラシ体１０を連結し、所定の被清掃面にブラシ体１０をあてがい、擦るようにして被清掃面上の塵埃を小吸引孔１３にて吸引除去するのである。このとき、被清掃面が遠くにある場合には、吸引ホース体１においての第２ホース体４を第１ホース体３から引き出せばよく、被清掃面に付着の塵埃はブラシ毛１２にて強く擦るようにして塵埃を掻き落とし、吸引除去するのである。なお、これらの清掃作業に際し、作業員は高所に上がることなく、低所である床面上で真空掃除機Ｂの移動と共に移動しながら行なえばよいのである。
【図面の簡単な説明】
【００２２】
【図１】この考案を実施するための最良の形態を示す使用状態時の要部分解斜視図である。
【図２】同じく一部省略断面図である。
【図３】同じく使用状態例の斜視図である。
【図４】従来の作業状況を示す概略図で、その（Ａ）は足場上で行なう場合、（Ｂ）は脚立を使用して行なう場合である。
【符号の説明】
【００２３】
Ｂ…真空掃除機                          Ｈ…連結用吸引口
１…吸引ホース体                        ２…連結口
３…第１ホース体                        ４…第２ホース体
５…カップリング手段                    ６…吸引連結口
１０…ブラシ体                          １１…ブラシ基部
１２…ブラシ毛                          １３…小吸引孔
１４…連結パイプ
【図１】
0003105095.tif 000003
【図２】
0003105095.tif 000004
【図３】
0003105095.tif 000005
【図４】
0003105095.tif 000006